(57)【要約】【課題】ポンプの停止時において、ポンプ室の流体が吐出口から漏れ出ないようにする。【解決手段】容積変化により搬送流体を駆動するポンプ室２と、吸入口１５ａと、吐出口１６ａと、ポンプ室２を駆動する駆動手段５と、少なくとも１つの逆止弁１７（１８）と、を有するポンプにおいて、駆動手段５を停止したときに、ポンプ室２内の搬送流体の流れを遮断するように構成される。【選択図】図３
2010077912.tif 000002
【特許請求の範囲】
【請求項１】
容積変化により搬送流体を駆動するポンプ室と、
吸入口と、吐出口と、
ポンプ室を駆動する駆動手段と、
少なくとも１つの逆止弁と、を有するポンプにおいて、
駆動手段を停止したときに、ポンプ室内の搬送流体の流れを遮断するように構成されてなることを特徴とするポンプ。
【請求項２】
容積変化により搬送流体を駆動するポンプ室と、
吸入口と、吐出口と、
ポンプ室を駆動する駆動手段と、
少なくとも１つの逆止弁と、を有するダイヤフラム式ポンプにおいて、
駆動手段を停止したときに、ポンプ室内の搬送流体の流れを遮断するように構成されてなることを特徴とするポンプ。
【請求項３】
ポンプ室内の搬送流体の流れを遮断する状態を駆動手段の停止状態においても維持するための押圧手段を有する請求項１または２に記載のポンプ。
【請求項４】
ポンプ室の駆動手段を停止したときに、ポンプ室の一部が流路の一部を遮断するように形成される弁体を有する請求項１または２に記載のポンプ。
【発明の詳細な説明】
【技術分野】
【０００１】
本発明は、例えば、所定の搬送流路に沿って流体を搬送するためのポンプ装置に関する。
【背景技術】
【０００２】
従来、ダイヤフラムを用いて流体を所定の搬送流路に搬送するポンプとして、例えば、ケース本体内に形成されたポンプ室と、ケース本体内に挟持されるダイヤフラムとを備え、ダイヤフラムの運動（振動）によってポンプ室の容積（体積）を変えることで、ポンプ室内の流体を所定の方向に搬送するものがある（例えば特許文献１参照）
【０００３】
このポンプのポンプ室には、搬送流体の吸入口、吐出口（排出口）が形成されており、吸入口、吐出口には逆止弁が設けられていて、ポンプは、搬送流体を一方向のみに搬送するようになっている。
【特許文献１】特開２００５−２４０８７１号公報
【発明の開示】
【発明が解決しようとする課題】
【０００４】
例えば、従来のポンプを用いて、吐出口に接続された配管から、液体を下方に流すような場合には、ポンプを停止させたときに、この配管に残っている流体の自重によって、配管から流れ出ようとし、これに伴って、ポンプ室内の流体も吐出口から、配管を通じて外部に流れ出るおそれがある。
【０００５】
この場合において、吐出口は、逆止弁によって封止されているものの、この逆止弁は、流体の逆方向の流れを完全に防止するが、正方向の流れに対しては機能せず、前記配管内の流体の自重によって、吐出口を介してポンプ室から流れ出ようとする流体を封止できない。
【０００６】
本発明は、このような事情に鑑みてなされたものであり、ポンプ停止時において、ポンプ室の流体が吐出口から漏れ出ないようにするポンプを提供することを課題とする。
【課題を解決するための手段】
【０００７】
本発明は上記の課題を解決するためのものであって、容積変化により搬送流体を駆動するポンプ室と、吸入口と、吐出口と、ポンプ室を駆動する駆動手段と、少なくとも１つの逆止弁と、を有するポンプにおいて、駆動手段を停止したときに、ポンプ室内の搬送流体の流れを遮断するように構成されてなることを特徴とする。
【０００８】
かかる構成によれば、駆動手段を停止したときに、ポンプ室内の搬送流体の流れを遮断することから、ポンプ室内の搬送流体が吐出口を介してポンプ室から漏出することを防止できるようになる。また、このポンプはダイヤフラム式のものが望ましい。
【０００９】
また、本発明に係るポンプは、ポンプ室内の搬送流体の流れを遮断する状態を駆動手段の停止状態においても維持するための押圧手段を有する構成を採用できる。
【００１０】
かかる構成によれば、駆動手段の停止時において、押圧手段によって、ポンプ室内において搬送流体の流れを遮断する状態を維持できるようになり、ポンプ停止時におけるポンプ室からの搬送流体の漏出を確実に防ぐことができる。
【００１１】
また、本発明に係るポンプは、前記ダイヤフラムは、ポンプ室の駆動手段を停止したときに、ポンプ室の一部が流路の一部を遮断するように形成される弁体を有する構成を採用できる。
【００１２】
かかる構成によれば、ポンプ室の一部としての弁体がポンプ室に係る流路の一部を遮断することにより、ポンプ室内の搬送流体の流れが遮断され、ポンプ停止時に、吐出口を介して搬送流体がポンプ室から漏出することを確実に防止できるようになる。
【発明の効果】
【００１３】
本発明によれば、ポンプ停止時において、ポンプ室の流体が吐出口から漏れ出ないようにすることができる。
【発明を実施するための最良の形態】
【００１４】
以下、本発明を実施するための最良の形態を、図面に基づき説明する。図１〜図３は、本発明に係るポンプ１の第１実施形態を示している。第１実施形態において、ポンプ１は、内部にポンプ室２を形成するためのケース本体３と、ケース本体３内に組み込まれるとともに搬送流体を圧送するダイヤフラム（流体圧送手段）４と、ダイヤフラム４を駆動するための駆動手段５と、ダイヤフラム４を所定方向に押圧するための押圧手段６とを備える。
【００１５】
ポンプ１は、駆動手段５によってこのダイヤフラム４を駆動して所定の運動（振動）をさせることで、所定の位置に形成された吸入口１５ａからポンプ室２内に所定の搬送流体を吸入し、所定の位置に形成された吐出口１６ａを介してポンプ室２の搬送流体を吐出するように構成される。
【００１６】
ケース本体３は、第１ケース部材１１、第２ケース部材１２、および第３ケース部材１３を有する。第１ケース部材１１には、ポンプ室２を形成するための凹部１４と、ポンプ室２に搬送流体を吸入させるための吸入部１５と、ポンプ室２の搬送流体を吐出するための吐出部１６が設けられている。
【００１７】
吸入部１５および吐出部１６は筒状に構成されていて、第１ケース部材１１の一方の面（凹部１４が形成される面とは反対の面）から突出して形成されている。吸入部１５と吐出部１６は、その先端部（一端部）が開口し、その基部（他端部）がポンプ室２と連通している。前記吸入口１５ａは、この吸入部１５の基部に形成され、吐出口１６ａは、この吐出部１６の基部に形成されている。
【００１８】
吸入部１５は、その内部に逆止弁１７を有する。この逆止弁１７は、球体（弁体）１７ａと、この球体１７ａを付勢する付勢手段としてのコイルバネ１７ｂとを有する。吸入部１５は、逆止弁１７により、吸入部１５からポンプ室２への流体の流れのみを許容し、ポンプ室２から吸入部１５へ流体が逆流しないようになっている。
【００１９】
吐出部１６は、その内部に逆止弁１８を有する。この逆止弁１８は、吸入部１５の逆止弁１７と同様に、球体（弁体）１８ａと、この球体１８ａを付勢する付勢手段としてのコイルバネ１８ｂとを有する。吐出部１６は、逆止弁により、ポンプ室２から吐出部１６への流体の流れのみを許容し、吐出部１６からポンプ室２への流体の逆流を防止できるようになっている。
【００２０】
したがって、吸入部１５、吐出部１６に設けられた逆止弁１７，１８により、ポンプ１は、吸入部１５、ポンプ室２、吐出部１６の順で一方向のみに流体を搬送できるようになっている。吸入部１５、吐出部１６には、所定の配管が接続されて搬送流体の搬送流路が形成されることになるが、ポンプ１は、この搬送流路の中途部（位置）に設けられることになる。ポンプは、この搬送流路の一方向に搬送流体を搬送することになる。
【００２１】
第２ケース部材１２は、筒部１９とフランジ部２０とを有する筒形状とされている。図１に示すように、この第２ケース部材１２内には、ダイヤフラム４を第１ケース部材１１に対して固定するための固定部材２１が設けられている。この固定部材２１は、筒状に形成されており、その筒心方向の一端部が、第１ケース部材とによってダイヤフラムを挟んで固定するようになっている。
【００２２】
第３ケース部材１３は、板状に構成されており、その一方の面側に、第２ケース部材１２のフランジ部２０が嵌合する凹部２３が形成されている。この第３ケース部材１３のほぼ中央部には、第２ケース部材１２の筒部１９を挿通するための挿通孔２４が形成されている。
【００２３】
ケース本体３は、第３ケース部材１３の挿通孔２４に第２ケース部材１２の筒部１９が挿通されるとともに、第３ケース部材１３と第２ケース部材１２のフランジ部２０とを重ね、これらと第１ケース部材１１とを対向するようにして互いに当接させ、そして、第１ケース部材１１、第２ケース部材１２、および第３ケース部材１３を一体に連結して固定することにより構成される。
【００２４】
また、ケース本体３内では、第１ケース部材１１と固定部材２１とによってダイヤフラム４の半径方向の端部を挟むことによって、ダイヤフラム４が第１ケース部材１１に固定され、このダイヤフラム４と第１ケース部材１１の凹部１４とによってポンプ室２が主構成されている。
【００２５】
前記ダイヤフラム４は、伸張可能な合成樹脂その他の弾性体によって円形に構成されている。このダイヤフラム４は、ダイヤフラム４は、上述の如くポンプ室２の一部を構成するものであり、駆動手段５によって駆動されて所定の運動（振動）をし、これによってポンプ室２の体積を増減させることで、吸入口１５ａ側からポンプ室２に流体を吸入し、ポンプ室２の流体を吐出口１６ａから吐出させることができる。
【００２６】
ポンプ室２は、第１ケース部材１１の凹部１４の底面と、ダイヤフラム４の厚さ方向の一方の面とが対向するように構成されている。なお、以下、前記凹部１４の底面に相当するポンプ室２の壁面を対向壁面２６といい、この対向壁面２６に対向するダイヤフラム４の一方の面を内面２７という。
【００２７】
本実施形態では、前記駆動手段５としてソレノイドが採用されている。ソレノイドは、ダイヤフラム４を押圧する心材３１と、この心材３１を作動させる電磁コイル３２と、コイルバネ３３と、ケース本体３内に心材３１と電磁コイル３２とを収納する収納空間を形成するための仕切り部材３４と有する。
【００２８】
心材３１は、磁性体により構成されており、第１構成部材３５と第２構成部材３６とを有する。第１構成部材３５は、軸部３７（円柱部）と、ダイヤフラム４に取り付けられるフランジ部３８とを有する。
【００２９】
また、第２構成部材３６は、筒部４１とフランジ部４２と有する。第２構成部材３６の筒部４１には、第１構成部材３５の軸部３７が挿通され、両者は一体となっている。第２構成部材３６の筒部４１の内径は、フランジ部４２が形成されている一端部側が小さく、他端部側が大きくなっており、筒部４１の内面中途部には、段差ができている。第１構成部材３５の軸部３７は、第２構成部材３６の筒部４１のうち、その内径の小さい部分において密着している。したがって、この第２構成部材３６の筒部４１のうち、その内径の大きな部分と、第１構成部材３５の軸部３７との間には隙間４４が生じている。
【００３０】
仕切り部材３４は、第１仕切り部材５１と第２仕切り部材５２とを有する。第１仕切り部材５１は、筒部５３とフランジ部５４とを有する。第１仕切り部材５１の筒部５３の外周には電磁コイル３２が巻き付けられている。第２仕切り部材５２は、円板状に構成され、その中央部に、第１仕切り部材５１の筒部５３を挿通する挿通孔５５が形成されている。前記電磁コイル３２は、この第２仕切り部材５２と第１仕切り部材５１のフランジ部５４との間に位置している。
【００３１】
図１に示すように、第２構成部材３６は、第１仕切り部材５１の筒部５３内に挿通されており、この筒部５３の軸心方向に沿って往復スライド運動可能となっている。なお、第２構成部材３６のフランジ部４２には、第１仕切り部材５１のフランジ部５４と対向する側の面に、円環状の緩衝材６１が設けられている。この緩衝材６１は、第２構成部材３６が往復スライド運動をしているときに、そのフランジ部４２が第１仕切り部材５１のフランジ部５４と接触したときの衝撃を吸収し、帯磁を防止するためのものである。
【００３２】
コイルバネ３３は、その一部が、心材３１の第１構成部材３５と第２構成部材３６との隙間４４に入れられている。このコイルバネ３３の一端部は、第２構成部材３６内の段差の部分に形成される、軸方向を向いた壁面６３に当接している。コイルバネ３３の他端部は、第２ケース部材１２の内壁面６４に当接している。
【００３３】
このコイルバネ３３は、自然長の状態から収縮されて、心材３１と第２ケース部材１２（筒部１９の内壁面６４）との間に配置されている。したがって、このコイルバネ３３は、その弾性復元力によって、心材３１を、第２ケース１２の筒部１９に形成された内壁面６４から離れる方向、すなわち、第１ケース部材１１の凹部１４に向かう方向に、押圧している。
【００３４】
駆動手段５は、ポンプ１外に設けられた駆動源（例えば電源）から電磁コイル３２に電力が供給されることによって生じる電磁力と、コイルバネ３３の弾性力の相互作用により、第１仕切り部材５１の筒部５３内において、心材３１を所定のストロークで往復動させる。これにより、心材３１に連結されたダイヤフラム４は、所定の運動（振動）を行うことができる。
【００３５】
本実施形態では、駆動手段５として用いられている前記コイルバネ３３は、ポンプ１の運転時に、駆動手段５の一部として機能するが、ポンプ１を運転していないときは、ダイヤフラム４を所定の方向に押圧するための押圧手段６として機能する。
【００３６】
具体的には、このコイルバネ３３は、上述のように心材３１をポンプ室２（凹部１４）に向けて付勢している。したがって、ダイヤフラム４は、このコイルバネ３３によって、このダイヤフラム４が対向するポンプ室２の対向壁面（第１ケース部材１１の凹部１４の底面）２６に向かう方向（近づく方向）に押圧されている。
【００３７】
ポンプ１を運転しない場合には、前記電磁コイル３２の電磁力が心材３１に作用せず、この心材３１は、コイルバネ３３の弾性復元力によって、ポンプ室２側に向かって押圧され、ポンプ室２側に移動する。これによって、ダイヤフラム４は、心材３１に押圧されて、ポンプ室２の対向壁面２６に向かって伸張する。バネの弾性復元力は、ダイヤフラム４の内面が対向壁面２６に当接するまで伸張するように設定されている。そして、バネの弾性復元力は、ダイヤフラム４の内面が対向壁面２６に当接したとき、これによって生じるダイヤフラム４の弾性復元力よりも大きくなるように設定されている。
【００３８】
以下、上記構成のポンプ１の作用について説明する。
【００３９】
まず、ポンプ１を運転すると、駆動手段５は、ダイヤフラム４を駆動して所定の運動（振動）をさせ、このダイヤフラム４の動きによって、ポンプ室２の体積が変化することで、吸入口１５ａから流体をポンプ室２に吸入し、そして、このポンプ室２の流体を吐出口１６ａから吐出することにより、吐出部１６に接続された流路に沿って流体を搬送することができる。
【００４０】
また、ポンプ１の運転を停止すると、駆動手段が停止する。すなわち、心材３１は、電磁コイル３２の電磁力が作用しなくなるため、前記コイルバネ３３によって押圧され、ポンプ室２に向かう方向に移動する。このとき、ダイヤフラム４は、心材３１によってポンプ室２の対向壁面２６に向かって押圧される。これにより、ダイヤフラム４は伸張し、このダイヤフラム４の内面が、この対向壁面２６に密着する（図３参照）。
【００４１】
このとき、ダイヤフラム４の内面２７は、対向壁面２６側に形成されている吸入口１５ａおよび吐出口１６ａを覆って閉塞する（以下、この状態を「閉塞状態」という）。すなわち、このダイヤフラム４の内面２７は、ポンプ１の停止時（駆動手段５の停止時）において、吸入口１５ａおよび吐出口１６ａを閉塞する閉塞面となっている（以下、この閉塞面にも符号２７を用いる）。この閉塞面２７の面積は、当然に、吸入口１５ａ、吐出口１６ａの開口面積より大きく設定されている。このように、ダイヤフラム４は、ポンプ運転時は、搬送流体を圧送する圧送手段として機能するが、ポンプ停止時は、その一部（閉塞面２７）が吸入部１５ａ、吐出部１６ａを塞ぐ弁体として機能する。
【００４２】
タイヤフラム４が閉塞状態にあるとき、押圧手段６としてのコイルバネ３３は、その弾性復元力が、この閉塞状態におけるダイヤフラム４の弾性復元力よりも大きいため、ポンプ１停止時は、常にこの閉塞状態（流路の遮断状態）が維持されることになる。
【００４３】
ポンプ１は、このダイヤフラム４の閉塞面２７によって吐出口１６ａ、吸入口１５ａを閉塞することにより、ポンプ停止時におけるポンプ室２の流体の流れを遮断することができる。換言すれば、ポンプ１は、その一部（閉塞面２７）が搬送流体の流路の一部を遮断する弁体（ダイヤフラム４）を有する。したがって、例えば、吐出部１６に接続された配管から流体を下方に流下させるような場合であっても、配管内に残る流体に作用する重力によってこのポンプ室２から流体が漏れ出るということを防止できる。
【００４４】
なお、吐出部１５に設けられている逆止弁１８は、その付勢手段（コイルバネ）１８ｂによって、球体（弁体）１８ａが、吐出口１６ａを、ポンプ室２とは反対側から閉塞するが、吐出部１６に接続された配管から流体を落下する状況でこのポンプ１を使用する場合には、ポンプ１の停止時に、この配管に残る流体（液体）の自重によって作用する負圧により、この逆止弁１８による吐出口１６ａの閉塞が解除され、ポンプ室２の流体が外部に漏出してしまう。したがって、上記のように、ダイヤフラム４の閉塞面２７によって吐出口１６ａを確実に閉塞することが望ましい。
【００４５】
また、別の観点からみると、ポンプ１停止時は、押圧手段６（コイルバネ３３）の作用によって、ダイヤフラム４の閉塞面（内面）２７がポンプ室２の対向壁面２６に当接することにより、ポンプ室２の体積をほぼ０にすることができる。すなわち、このとき、ポンプ室２の流体は、ポンプ室２の流体は、このようなダイヤフラム４の動きによって、そのほとんどが吐出口１６ａから排出される。このように、ダイヤフラム４は、ポンプ１停止後において、ポンプ室２の流体のほとんど全てを吐出口１６ａから強制的に排出させる排出手段としても機能する。
【００４６】
図４、図５は、本発明に係るポンプ１の第２実施形態を示している。第２実施形態に係るポンプ１は、第１実施形態と同様に、ケース本体３、ダイヤフラム４、駆動手段５、押圧手段６を有する。ダイヤフラム４は、第１実施形態と同様のものが用いられており、駆動手段５には、心材３１と電磁コイル３２がユニット化されたソレノイドが用いられている。また、このソレノイドの心材３１の一端部には、心材３１とダイヤフラム４とを連結する連結部材７０が設けられている。
【００４７】
ケース本体３は、第１ケース部材１１、第２ケース部材１２を有し、第１実施形態で示した第３ケース部材１３を有していない。第１ケース部材１１は、第１実施形態と同様のものが用いられている。第２ケース部材１２は、第１実施形態と同様に、筒部１９とフランジ部２０と有する。この第２ケース部材１２は、そのフランジ部２０が第１ケース部材１１とともにダイヤフラム４を挟持するように構成され、このフランジ部２０を第１ケース部材１１に固定することにより、ダイヤフラム４を第１ケース部材１１に固定できるようになっている。
【００４８】
また、この第２ケース部材１２の筒部１９内には、駆動手段５を固定する固定部７１が形成されている。この第２ケース部材１２は、ボルト等の固定手段を介して、駆動手段５を固定部７１の内面に固定して支持するようになっている。固定部７１のほぼ中央部には、駆動手段５の心材３１の端部が挿通される挿通孔７２が形成されている。
【００４９】
押圧手段６は、第２ケース部材１２の筒部１９に設けられている。第１実施形態では、押圧手段６として、コイルバネ３３が用いられていたが、この第２実施形態では、板状バネ状の弾性体７４が用いられる。この板状バネ状の弾性体７４には、第２ケース部材１２の筒部１９に取り付けるための取付部７５が設けられている。この弾性体７４は、第２ケース部材１２の固定部７１の挿通孔７２に挿通されて突出している駆動手段５の心材３１の端部に当接している。この弾性体７４は、弾性変形した状態で、この心材３１の端部に当接しており、これによって心材３１をポンプ室２に向かう方向に押圧している。
【００５０】
この第２実施形態においても、ポンプ１の運転時には、駆動手段５によってダイヤフラム４を運動（振動）させ、所定の搬送流体を吸入部１５、ポンプ室２、吐出部１６の順に搬送できる。また、ポンプ１は、運転を停止したときに、押圧手段６によってダイヤフラム４が押圧されることにより、第１実施形態と同様に、ダイヤフラム４の閉塞面（内面）２７は、ポンプ室２の対向壁面２６に当接、密着して、吸入口１５ａ、吐出口１６ａを閉塞する。これによって、ポンプ室２内の流体が吐出部１６から漏れ出ないようになっている。
【００５１】
第２実施形態のその他の部分は、第１実施形態とほぼ同様の構成であり、第２実施形態が第１実施形態と共通する要素には、第１実施形態と共通の符号を付して、その説明を割愛する。
【００５２】
図６は、本発明に係るポンプ１を用いたポンプ装置８１を示している。このポンプ装置８１は、ポンプ１と、流体用のタンク８２と、ポンプ１を駆動する駆動源（例えば電源）８３と、タイマ（図示せず）と、これらを収納するケース８４とを有する。
【００５３】
ケース８４は、ケース本体８６と、ケース本体８６に対して開閉自在なカバー８７とを有する。タンク８２は、合成樹脂等によって、収縮可能な袋状に構成されている。駆動源８３は、図６（ｃ）に示すように、ケース本体８６の下部に配置されており、この駆動源８３の上側にタンク８２が配置されている（図６（ｂ）参照）。
【００５４】
ポンプ１の吸入部１５とタンク８２とは、接続管８８によって連結されており、タンク８２に収容された液体を吸入部１５を介してポンプ室２に吸入できるようになっている。また、ポンプ１の吐出部１６には、ポンプ室２から吐出された流体を流出させる流出管８９が接続されている。流出管８９は、ケース本体８６の側壁に貫通形成された挿通孔に挿通され、その端部がケース本体８６外に出ている。このポンプ装置８１には、接続管８８、ポンプ１、および流出管８９によって、タンク８２内の流体を流出管８８の端部まで搬送するための搬送流路が構成されている。そして、このポンプ装置８１は、この搬送流路の中途部に設けられたポンプ１を介して、タンク８２内の流体を流出管８９の端部から流出させるようになっている。
【００５５】
タイマは、ケース本体８６内またはケース本体８６の外面に取り付けられており、一定時間毎、または設定された時刻に、ポンプ１を始動させることができる。
【００５６】
このポンプ装置８１は、例えば、薬液（液体）を下方に流下させる薬液流下装置として用いられる。すなわち、タンク８２には、例えば、所定の薬液が収容されており、この薬液流下装置は、例えば、小便器および小便器配水管（以下「小便器等」という）に付着している尿石を除去し、または、小便器等に尿石等が付着することを防止するために、所定のタイミングで、流出管８９を介して薬液を小便器等の壁面等に沿って流すことができる。このように使用する場合には、薬液は小便器等の壁面の上部位置から下方に薬液を流すことが望ましく、したがって、流出管８９の端部をケースよりも下方位置に設けて、その端部から薬液を下方に流下させることが望ましい。
【００５７】
なお、本発明は上記の実施形態に限らず、種々の変形・変更が可能である。
【００５８】
例えば、上記の実施形態では、ダイヤフラム４の閉塞面（内面）が吸入口１５ａ、吐出口１６ａを閉塞するように構成された例を示したが、この閉塞面が吐出口１６ａのみを閉塞する、換言すれば、少なくとも吐出口１６ａを閉塞するような構成であってもよい。
【００５９】
また、上記の実施形態では、押圧手段６として、コイルバネ３３、板バネ状の弾性体７４を例示したが、これに限らず、例えば弾性を有する合成樹脂等の材料によって形成された膜体その他の種々のものを用いることができる。また押圧手段６は弾性体に限らず、所要の圧力で、ダイヤフラム４を押圧できるものであればよい。
【００６０】
上記実施形態では、逆止弁１７，１８の球体１７ａ，１８ａを付勢する付勢手段として、コイルバネ１７ｂ，１８ｂを例示したが、これに限らず、球体を１７ａ，１８ｂを付勢する力を有する弾性体、その他の種々の部材を用いることができる。
【００６１】
上記の実施形態では、ポンプ室の搬送流体を圧送する手段として、ダイヤフラムを例示したが、これに限らず、ピストンその他の種々の手段を採用してもよい。この場合、このピストン等は、その端面によって、吸入口、吐出口を閉塞する弁体として用いられる。
【００６２】
上記の実施形態では、２つの逆止弁が設けられているポンプを例示したが、これに限らず吸入口側、または吐出口側のいずれか一方に１つ（すなわち少なくとも１つ）の逆止弁を設けるようにしてもよい。
【図面の簡単な説明】
【００６３】
【図１】第１実施形態に係るポンプの断面図である。
【図２】同じくポンプの組み立て図である。
【図３】同じくダイヤフラムがポンプ室２内の流体の流れを遮断した状態を示す断面図である。
【図４】第２実施形態に係るポンプの組立図である。
【図５】同じくダイヤフラムがポンプ室内の流体の流れを遮断した状態を示す断面図である。
【図６】ポンプを用いたポンプ装置を示す斜視図であり、（ａ）はその斜視図、（ｂ）は、（ａ）の状態からカバーを取り外した状態を示す斜視図、（ｃ）は、（ｂ）の状態からさらに液体タンクを除いた状態を示す斜視図である。
【符号の説明】
【００６４】
１…ポンプ、２…ポンプ室、３…ケース本体、４…ダイヤフラム、１１…第１ケース部材、１２…第２ケース部材、１３…第３ケース部材、１４…凹部、１５…吸入部、１５ａ…吸入口、１６…吐出部、１６ａ…吐出口、１７…逆止弁、１７ａ…球体、１７ｂ…コイルバネ、１８…逆止弁、１８ａ…球体、１８ｂ…コイルバネ、１９…筒部、２０…フランジ部、２１…固定部材、２３…凹部、２４…挿通孔、２６…対向壁面、２７…ダイヤフラムの内面（閉塞面）、３１…心材、３２…電磁コイル、３３…コイルバネ、３４…仕切り部材、３５…第１構成部材、３６…第２構成部材、３７…軸部、３８…フランジ部、４１…筒部、４２…フランジ部、４４…隙間、５１…第１仕切り部材、５２…第２仕切り部材、５３…筒部、５４…フランジ部、５５…挿通孔、６１…緩衝材、６３…壁面、６４…第２ケース部材の内壁面、７１…固定部、７２…挿通孔、７４…板バネ状の弾性体、７５…取付部、８１…ポンプ装置、８２…タンク、８３…駆動源、８４…ケース、８６…ケース本体、８７…カバー、８８…接続管、８９…流出管
【図１】
2010077912.tif 000003
【図２】
2010077912.tif 000004
【図３】
2010077912.tif 000005
【図４】
2010077912.tif 000006
【図５】
2010077912.tif 000007
【図６】
2010077912.tif 000008